(57)【要約】【課題】  夜間の視認性を改善した交通標識を提供する。【解決手段】  交通標識に反射体又は、動く反射体、又は、動く発光体を有する注意喚起装置を付設する。【選択図】    図１
2005048569.tif 000002
【特許請求の範囲】
【請求項１】
不動の反射体又は回転等の動く反射体を有するか、
または、風力発電機又は太陽電池の内、少なくとも一方により発電及び充電された電力が供給され点滅又は、交互に点灯する発光体を有するか、
または、風力発電機又は太陽電池の内、少なくとも一方により発電及び充電された電力が供給され点灯又は点滅された発光体の発する光が照射されたところの不動の反射体または回転等の動く反射体を有するか、
の内、いずれかを含む注意喚起装置を付設したことを特徴とする注意喚起装置付き交通標識。
【請求項２】
発光の形状から標識が何を示すか読み取れるように、交通標識が表す特有の形状（パターン）に沿って発光体、または、反射体を配置したことを特徴とする注意喚起装置付き交通標識。
【請求項３】
前記発光体または前記反射体は、複数の異なる色を有することを特徴とする請求項１または請求項２記載の注意喚起装置付き交通標識。
【請求項４】
前記反射体または前記発光体の色は、白、緑、黄、赤のいずれかを含むことを特徴とする請求項１または請求項２または請求項３記載の注意喚起装置付き交通標識。
【発明の詳細な説明】
【技術分野】
【０００１】    本発明は、路上に設置され、車の運転者や歩行者に通行上の提示を行う交通標識に関するものである。
【背景技術】
【０００２】    この手の標識は、一般の路上に設置されているので、多く見かけるところであり、多くの人にあまねく知られているので説明を要しない。従来の交通標識の例として、図４の例を示す。４−ａは、所謂、「とまれ」の標識であり、４−ｂは、「駐車禁止」の標識である。
【発明の開示】
【発明が解決しようとする課題】
【０００４】    どのような例を挙げても同じであるが、従来の交通標識の問題点は、明るい昼間の視認性は満足できるものであるが、夜間の視認性が極めてよくない点にある。つい、うっかりすると見過ごしてしまうことが生じやすいのが現実である。
【課題を解決するための手段】
【０００５】    本発明は、このような欠点を克服するために、交通標識に反射体又は、動く反射体、又は、動く発光体を有する注意喚起装置を付設する。
請求項１記載の発明は、注意喚起装置付き交通標識であって、
不動の反射体又は回転等の動く反射体を有するか、
または、風力発電機又は太陽電池の内、少なくとも一方により発電及び充電された電力が供給され点滅又は、交互に点灯する発光体を有するか、
または、風力発電機又は太陽電池の内、少なくとも一方により発電及び充電された電力が供給され点灯又は点滅された発光体の発する光が照射されたところの不動の反射体または回転等の動く反射体を有するか、
の内、いずれかを含む注意喚起装置を付設したことを特徴とする。【０００６】請求項２記載の発明は、注意喚起装置付き交通標識であって、発光の形状から標識が何を示すか読み取れるように、交通標識が表す特有の形状（パターン）に沿って発光体、または、反射体を配置したことを特徴とする。【０００７】請求項３記載の発明は、請求項１または請求項２記載の注意喚起装置付き交通標識において、前記発光体または前記反射体は、複数の異なる色を有することを特徴とする。【０００８】請求項４記載の発明は、請求項１または請求項２または請求項３記載の注意喚起装置付き交通標識において、前記反射体または前記発光体の色は、白、緑、黄、赤のいずれかを含むことを特徴とする。
【発明の効果】
【０００９】    以上のことにより夜間の交通標識の視認性が大幅に改善される。
【発明を実施するための最良の形態】
【００１０】    車を運転者にとって、最良の形態は、動く反射体か、動く発光体を有する注意喚起装置を有する場合であるが、製作上の利点を考慮すれば、前者が最良の形態である。歩行者で、明かりが無いところでは、反射光は期待できないので、その場合は、動く発光体を有する場合が最良の形態となる。交通環境により多少の差異はあるが、いずれも視認性を改善した交通標識を提供できる。以下、図を用い説明する。
【実施例１】
【００１１】    図１は、標識の周りに、反射体１１を配置したものである。車や周辺の光を反射して、視認性が高まることが理解できよう。反射体１１の配置の仕方は自在であり、色も複数にするなどの選択が可能である。この場合は、特に、図に見るように、標識の内部の標識を表す特有の形状（パターン）に沿って反射体を配置すると、反射光の形状から標識が何を示すか読み取れるので都合がよい。
【実施例２】
【００１２】    図２は、風車の羽根２０に反射体２１を有する注意喚起装置２２を配置したものである。風の動きにより、羽根２０が回転して、反射体２１が動、それによって反射光が動くので視認性が図１のものより改善される。反射体２１は、羽根２０の回転に連動するものに付設してもよい。
【実施例３】
【００１３】    図３は、羽根３０を有する風力発電機３１により、発電した電力で発光ダイオード等の発光体３２を点滅又は、交互に点灯して、視認性を高めたものである。風力発電機３１の代わりに太陽電池でも同様の機能が可能である。又、図２と図３の混合の形態として、発電機で発電した電力で発光体を発光させ、回転する羽根に反射体を付設しておいて、この反射体に発光体の光を当てることで、動く反射光を得ることも可能である。また、反射体や発光体の色は、夜間でも視認性のよい、白、緑、黄色、赤の中から採用するのがよい。
この例でも、標識の内部の標識を表す特有の形状（パターン）に沿って発光体を配置すると、発光の形状から標識が何を示すか読み取れるので都合がよい。
【産業上の利用可能性】
【００１４】    以上のような作用をするので、注意喚起装置を付設した交通標識は、夜間でも極めて視認性がよいので、交差点や一般道路での用途が極めて多い。更に標識の内部の標識を表す特有の形状（パターン）に沿って発光体、または、反射体を配置すると、発光の形状から標識が何を示すか読み取れるので単なる注意喚起装置以上に表意装置の役割も果たせる。
【図面の簡単な説明】
【００１５】
【図１】      注意喚起装置として反射体を有する本発明の注意喚起装置付き交通標識の一実施態様を示す図である。
【図２】      注意喚起装置として風車により回転する反射体を有する本発明の注意喚起装置付き交通標識の一実施態様を示す図である。
【図３】      注意喚起装置として発電機を有し、発電出力で駆動され、点滅又は交互に点灯する発光体を有する本発明の注意喚起装置付き交通標識の一実施態様を示す図である。
【符号の説明】
【００１６】    １１、２１・・・反射体
２０、３０・・・羽根
２２・・・注意喚起装置
３１・・・風力発電機
３２・・・発光体
【図１】
2005048569.tif 000003
【図２】
2005048569.tif 000004
【図３】
2005048569.tif 000005
【図４】
2005048569.tif 000006
【手続補正書】
【提出日】平成16年1月6日(2004.1.6)
【手続補正１】
【補正対象書類名】明細書
【補正対象項目名】００１５
【補正方法】変更
【補正の内容】
【００１５】
【図１】注意喚起装置として反射体を有する本発明の注意喚起装置付き交通標識の一実施態様を示す図である。
【図２】注意喚起装置として風車により回転する反射体を有する本発明の注意喚起装置付き交通標識の一実施態様を示す図である。
【図３】注意喚起装置として発電機を有し、発電出力で駆動され、点滅又は交互に点灯する発光体を有する本発明の注意喚起装置付き交通標識の一実施態様を示す図である。
【図４】従来の交通標識の例を示す図であって、４−ａは、「とまれ」を示し、４−ｂは、「駐車禁止」を示す図である。